(57)【要約】【課題】組込式加熱調理器に設けられた通信アダプタ装置と無線ネットワーク等の通信対象との通信が妨害されにくい構成を提供すること。【解決手段】上記の課題を解決するためには、加熱源と、加熱源を制御する制御部と、制御部に対して加熱源への制御指令信号を無線で受信する通信アダプタと、上面が開口し加熱源及び制御部を収容した筐体と、を備えた組込式加熱調理器において、筐体は、金属性の板材から構成され、内方に向けて凹む凹部が形成されており、通信アダプタをこの凹部に設置するように構成すればよい。【選択図】図１
2015087079.tif 000002
【特許請求の範囲】
【請求項１】
加熱源と、
前記加熱源を制御する制御部と、
前記制御部に対して前記加熱源への制御指令信号を無線で受信する通信アダプタと、
上面が開口し前記加熱源及び前記制御部を収容した筐体と、を備えた組込式加熱調理器において、
前記筐体は、金属製の板材から構成され、内方に向けて窪む凹部が形成されており、
前記通信アダプタを前記凹部の内部に設置したことを特徴とする組込式加熱調理器。
【請求項２】
加熱源と、
前記加熱源を制御する制御部と、
前記制御部に対して前記加熱源への制御指令信号を無線で受信する通信アダプタと、
上面が開口し前記加熱源及び前記制御部を収容した筐体と、を備えた組込式加熱調理器において、
前記筐体は、左右両側面を含む周面を形成する金属製周面板と、この周面板の背面側に結合される金属製背面板とを有し、前記背面板の左右方向の横幅寸法を、前記周面板の左右方向の横幅寸法より小さく設定し、前記周面板の後端部から所定角度に折り曲げられて形成されたフランジ部と、前記背面板とを重ね合わせて結合して構成され、
前記筐体の角部には所定の凹部が形成され、該凹部の内部に前記通信アダプタを設置したことを特徴とする組込式加熱調理器。
【請求項３】
前記通信アダプタは、横断面形状が方形を呈した角筒形状であることを特徴とする請求項１又は請求項２のいずれかに記載の組込式加熱調理器。
【請求項４】
前記背面板は、垂直壁部と、その最下端から前方に所定角度に折り曲げられて連続した傾斜壁部とを有していることを特徴とする請求項２に記載の組込式加熱調理器。
【請求項５】
前記凹部は、前記筐体内部へと冷却空気を取り込む吸気口に隣接して形成されたことを特徴とする請求項１乃至４に記載の組込式加熱調理器。
【発明の詳細な説明】
【技術分野】
【０００１】
本発明は、無線通信アダプタが装着された組込式加熱調理器に関する。
【背景技術】
【０００２】
従来のネットワークに接続される電気機器として、例えば「別体の通信アダプタを介してネットワーク接続されるホームネットワーク型電気機器であって、上記通信アダプタとの間でＲＦＩＤ無線通信を行うＲＦＩＤ無線部を備えていることを特徴とするホームネットワーク型電気機器。」が提案されている（例えば、特許文献１参照）。
【先行技術文献】
【特許文献】
【０００３】
【特許文献１】特開２００４−２２８９２３号公報（請求項１）
【発明の概要】
【発明が解決しようとする課題】
【０００４】
しかしながら従来の技術では、通信アダプタ装置の設置位置について、通信アダプタ装置と家電機器との通信に配慮された設置位置が示されているが、例えば、ホームネットワークが無線システムの場合、通信アダプタ装置の設置位置によってはホームネットワークと通信アダプタ装置との通信が妨害されて通信できなくなるという課題があった。
特に、家電機器が組込式加熱調理器の場合、家電機器の設置の形態が、システムキッチンにビルトイン（組み込み）設置され、通信アダプタ装置とホームネットワークとが無線通信可能な位置に、通信アダプタ装置を設置しなければならないという課題があった。
【０００５】
本発明は、上記のような課題を解決する為になされたもので、組込式加熱調理器に設けられた通信アダプタ装置と無線ネットワーク等の通信対象との通信が妨害されにくい構成を提供することを目的とする。
【課題を解決するための手段】
【０００６】
上記の課題を解決するためには、加熱源と、加熱源を制御する制御部と、制御部に対して加熱源への制御指令信号を無線で受信する通信アダプタと、上面が開口し加熱源及び制御部を収容した筐体と、を備えた組込式加熱調理器において、筐体は、金属性の板材から構成され、内方に向けて凹む凹部が形成されており、通信アダプタをこの凹部に設置するように構成すればよい。
【発明の効果】
【０００７】
本発明によれば、無線ネットワークと通信アダプタ装置の通信が妨害されにくい加熱調理器を得ることができる。
【図面の簡単な説明】
【０００８】
【図１】組込式加熱調理器である誘導加熱調理器の全体外観図
【図２】図１に示す誘導加熱調理器の天面部を本体部から分離した状態を示す図
【図３】図２で示す本体部より、加熱コイルをはずした状態を示す図
【図４】図３に示す本体部より、右コイル仕切り板を外した図
【図５】誘導加熱調理器の右側面図
【図６】誘導加熱調理器１００の凹部２００ａの位置を拡大した背面図
【図７】本体部１０１の外郭を構成する筐体２００を上方から見た模式図
【図８】通信アダプタ３００の取り付け状態を示す斜視図
【図９】誘導加熱調理器の設置方法を示す縦断図
【発明を実施するための形態】
【０００９】
実施の形態
以下、図１〜図９を参照して、実施の形態を説明する。
（組込式加熱調理器の全体構成）
図１は、本発明の実施の形態に係る組込式加熱調理器である誘導加熱調理器１００の全体外観図である。図２は、図１に示す誘導加熱調理器の天面部１０２を本体部１０１から分離した状態を示す図である。図３は、図２で示す本体部１０１より、加熱コイル３０，４０，５０をはずした状態を示す図である。図４は、図３に示す本体部１０１より、右コイル仕切り板４２を外した図である。図５は、誘導加熱調理器１００の右側面図である。図６は、誘導加熱調理器１００の凹部２００ａの位置を拡大した背面図である。図７は、本体部１０１の外郭を構成する筐体２００を上方から見た模式図である。図８は、通信アダプタ３００の取り付け状態を示す斜視図である。図９は、誘導加熱調理器の設置方法を示す図である。
【００１０】
図１乃至図９で示すように、本実施の形態に係る誘導加熱調理器１００は、システムキッチンに組み込まれて設置して用いられる組込式誘導加熱調理器であり、本体部１０１及び天面部１０２によって構成されている。
まず、天面部１０２は、本体部１０１の上面を被うように取付けられるものであり、トッププレート２、各加熱口における動作状態又は設定情報等を表示する表示手段が望む表示位置６、並びに、設定情報等の変更又はグリル部１０３の加熱動作を操作するための操作パネル７によって構成されている。
【００１１】
トッププレート２の上面には、鍋等の被加熱物を載置して調理するための左加熱口３、右加熱口４及び中央加熱口５が配置されている。この左加熱口３、右加熱口４及び中央加熱口５は、それぞれ、加熱源となる左加熱コイル３０、右加熱コイル４０及び中央加熱コイル５０の直上の位置となるように配置されている。
【００１２】
次に、本体部１０１は、上方に開口した箱状の本体筐体２００（以下、筐体２００）の内部に、上部に左加熱コイル３０、右加熱コイル４０及び中央加熱コイル５０の３つの加熱コイルが配置されている。そして、本体１の前面部右側には、上記のそれぞれの加熱コイルの加熱動作を操作するための左操作ダイヤル３１、右操作ダイヤル４１及び中央操作ダイヤル５１が設置されている。
具体的には、ユーザーは、左操作ダイヤル３１によって左加熱コイル３０の加熱動作を操作し、右操作ダイヤル４１によって右加熱コイル４０の加熱動作を操作し、そして、中央操作ダイヤル５１によって中央加熱コイル５０の加熱動作を操作する。
【００１３】
また、筐体２００の前面部左側には、グリル部１０３のグリル扉１０が設置される。そして、この本体１左下側の内部には、グリル部１０３のグリル室（図示せず）が構成されている。
さらに、筐体２００の後部右側には、加熱源や各部を制御する制御部である回路基板２２、並びに、左加熱コイル３０、右加熱コイル４０及び中央加熱コイル５０を冷却するための冷却風を本体１内部に吸気するための吸気口８が形成されている。
さらに、筐体２００の後部左側には、この冷却風を排気するための排気口９が形成されている。
【００１４】
そして、吸気口８の筐体２００を隔てて本体の右側方の外側には、通信装置である通信アダプタ３００が設置されている。
この通信アダプタ３００は、内部に信号を送受信する為のアンテナが備えられており、誘導加熱調理器とホームネットワークサーバーや外部の機器との間で無線通信を行うものである（通信アダプタ３００の詳細な設置構造については、後述する）。
そして、通信アダプタ３００は、制御部である回路基板２２に接続しており、外部から受信した信号は制御部により処理され、誘導加熱調理器の各部の制御に生かされる。
【００１５】
この外部から受信した信号に基づき行われる制御は、例えば「使用電力を制限する指示に関する信号を受信した後、所定の電力以下に加熱源の出力を低下させる制御」や、「地震の発生を予測する情報に関する信号を受信した後、加熱源の動作を停止する制御」などがある。
つまり、通信アダプタ３００が受信する信号には、制御部に対して各加熱源への制御指令信号等が含まれる。
尚、通信アダプタ３００は、外部からの信号を受信するだけではなく、誘導加熱調理器の状態（例えば、使用電力や運転情報等）を外部の機器に発信するためにも用いられる。
【００１６】
次に、図２及び図３で示されるように、左加熱コイル３０が設置される本体１内の上部側のスペースは、左コイル仕切り板３２によって、本体１内の下部と仕切られており、右加熱コイル４０が設置される本体１内の上部側のスペースは、右コイル仕切り板４２によって、本体１内の下部と仕切られている。
この左コイル仕切り板３２及び右コイル仕切り板４２は、吸気口８から吸引された冷却風が本体１内の下部側から上部側へ通風可能なように、それぞれ、複数の左コイル仕切り板通気孔３２ａ及び右コイル仕切り板通気孔４２ａが形成されている。
【００１７】
さらに、図３で示されるように、左コイル仕切り板通気孔３２ａ及び右コイル仕切り板通気孔４２ａを通って本体１の上部側へ移動した冷却風が排気口９へ通じる排気ダクト１２へ流入するための排気ダクト開口部１１が、左コイル仕切り板３２の後ろ側に開口して形成されている。
【００１８】
（ファン・基板ユニット１０４構成）
図４は、本発明の実施の形態に係る誘導加熱調理器の本体部１０１から右コイル仕切り板４２を除去した状態を示す外観図である。
図４で示されるように、右コイル仕切り板４２によって本体１内の上部側と仕切られる下部側には、ファン・基板ユニット１０４が収納されている。
このファン・基板ユニット１０４は、右コイル仕切り板４２の直下に位置する回路基板２２、及び、本体１内の下部側かつ後部側に位置する冷却ファン２７（図示せず）を備えている。
【００１９】
この冷却ファン２７は、例えば、シロッコファンが用いられ、ファンカバー２０によってその上部側から覆われている。また、このファンカバー２０の後ろ側には、吸気口８が開口している。
尚、この冷却ファン２７が回転駆動することによって、吸気口８から空気が吸い込まれて筐体２００の内部を流下する冷却風が生成される。
【００２０】
また、ファン・基板ユニット１０４には、この冷却ファン２７によって生成され、回路基板２２に実装された各素子を冷却した冷却風を上方（すなわち、右コイル仕切り板４２側）に向かわせるための基板部開口部２１が開口して形成されている。
また、図５で示されるように、ファン・基板ユニット１０４は、本体部１０１から分離可能であり、本体部１０１の本体１内の下部側に形成されたファン・基板ユニット設置部１３に収納可能となっている。
【００２１】
ここで、図７を参照して、上記の各部が設けられている筐体２００について説明する。図７は、筐体２００を上方より見た形状を模式的に示す平面図である。
筐体２００は、底面板２０１ａとこの底面板２０１ａから立ち上がり側面と背面を形成する周面板２０１ｂを有するケース２０１と、ケース２０１の背面に形成される開口２００ｈを覆う背面板となるカバー２０２から成る。
【００２２】
ケース２０１は、金属板をプレスして成形することで底面板２０１ａと周面板２０１ｂが一体に構成されたものであり、背面の周面板２０１ｂの端部にフランジ部２０１ｃが形成されている。
また、カバー２０２も、金属板をプレスにて成形してしたものであり、側方から見ると垂直面２０２ａと傾斜面２０２ｂが形成された形状となっている。
【００２３】
ここで、ケース２０１の形状は、筐体２００の最大幅となる前端側の幅Ｗ１より、後端側の幅Ｗ２が狭く構成されている。
本実施の形態の場合、平行に向かい合って後方に向けて延びる左右一対の周面板２０１ｂが、それぞれ所定の位置でケース２０１の内側に向かって折り曲がり、更に、ケース２０１の内側に向かって延びた一対の周面板は、再度所定の位置でそれぞれ後方に向けて折り曲がる形状となっている。
【００２４】
このように構成されたケース２０１の後端には、向かい合う周面板２０１ａの間に背面開口２００ｈが形成される。そして、カバー２０２の横幅寸法は、ケース２０１の最大幅寸法（左右方向の寸法）Ｗ１より小さい幅で、背面開口２００ｈを被う程度の大きさとなっている。
そして、このカバー２０２を、ケース２０１の背面にカバー２０２を取付けることにより、背面開口２００ｈが塞がれる。尚、カバー２０２は、周面板２０１ｂに形成されたフランジ部２０１ｃに、重ね合わせて螺子止め等により結合して固定される。
【００２５】
以上のように構成されるので、筐体２００は上方から見ると、最大幅Ｗ１と最大奥行き寸法Ｄにより形成される矩形状の領域の内、左右後端の位置（後端の角の位置）が、矩形の領域より内側に入り込んだ窪んだ部位となる凹部２００ａが形成された形状となる。
つまり、凹部２００ａは、筐体２００の外部であって矩形状の領域の内部に形成される角部空間となる。
尚、凹部２００ａは、冷却風を本体１内部に吸気するための吸気口８と、ケース２０１を挟んで隣接した位置となっている。
【００２６】
また、図５を参照すると、カバーの形状は側方からみると、上側が垂直な垂直面２０２ａで下側が後方に傾く傾斜面２０２ｂとなっている。つまり、カバー２０２は、垂直壁部と、その最下端から前方に所定角度に折り曲げられて連続した傾斜壁部とを有している。そして、カバー２０２が取り付くケース２０１の後端の形状もこれに合わせた形状に形成となっている。
従って、筐体２００の背面は、側方からみると上側が垂直で、所定の位置から下側が後方に傾く傾斜面となっており、筐体２００の後端下部の形状が、例えば、面取りをした形状のように形成されている。
【００２７】
このような形状は、誘導加熱調理器１００をキッチンの設置開口Ｈに設置する際に、設置開口Ｈに誘導加熱調理器１００の前面側から挿入し、後端を回転させて設置開口内Ｈに収めるとき、誘導加熱調理器１００の後端が設置開口Ｈに引っかかり難くするためのものである（図９参照）。
以上、本実施の形態において、周面板２０１ｂの後端側の部位を折り曲げることで、凹部２００ａを形成したが、前端側や前端と後端の中間位置を折り曲げることにより、凹部２００ａを形成しても良い。また、カバー２０２の一部を内側にへこませて凹部を形成してもよい。
【００２８】
次に、図８を参照して、通信アダプタ３００の取り付け構造について説明する。
通信アダプタ３００は、横断面形状が方形を呈した角筒形状のアダプタケース３０１の内部に、外部機器との間で無線通信のためのアンテナ（図示せず）が備えられている。
アダプタケース３０１の側面には、開口３０１ａが形成されており、この開口３０１ａから、通信アダプタ３００と制御部を電気的に接続するケーブル３０１ｂが導出されている。尚、ケーブル３０１ｂの先端には、コネクター３０１ｃが設けられている。
【００２９】
このように構成さえた通信アダプタ３００は、凹部２００ａの内部位置であって、傾斜面２０２ｂより上方に位置するように、次のように取り付けられる。
まず、通信アダプタ３００は、通信アダプタ３００に上部に形成された取り付け穴に螺子を通し、凹部２００ａを形成する周面板２０１ｂの側方を向く面に、螺子止めされる。そして、螺子止めされた通信アダプタ３００の外周には、アダプタカバー３０２が設けられる。
【００３０】
アダプタカバー３０２は、通信アダプタ３００の外周面に沿って形成された帯部３０２ａと、この帯部３０２ａからケース２００側に向けて斜め下方に延びる傾斜部３０２ｂを有する。
このように構成されたアダプタカバー３０２は、帯部３０２ａが通信アダプタ３００の側面被い、傾斜部３０２ｂが通信アダプタ３００の下面を被い、筐体２００の側面から背面に至るように、ケース２０１の側面とカバー２０２に螺子止めにより固定される。
【００３１】
つまり、アダプタカバー３０２は、ケース２０１の側面から背面に至って取り付けられて、通信アダプタ３００を保持又は保護する。
また、傾斜部３０２ｂが通信アダプタ３００の下方に至っていることから、誘導加熱調理器をキッチンに設置する際に、設置位置Ｓとの直接の接触を防ぐことができる。
特に、設置位置と接触する部位が傾斜部３０２ｂとなっているので、傾斜部３０２ｂが設置の際に設置位置と接触しても引っかかり難く、誘導加熱調理器を効率よくキッチンに設置することができる（図９参照）。
【００３２】
次に、上記のように筐体２００に取り付けられたアダプタケース３０１からは、ケース２０１に沿って、前方に向けてケーブル３０１ｂが導出され、コネクター３０１ｃが、ケース２０１に設けられた制御部である回路基板２２とつながる本体側コネクター２０１ｋに接続され、制御部と通信アダプタ３００が電気的に接続される。
そして、ケーブル３０１ｂを被うように配線カバー３０３を螺子止めにてケース２０１に取り付ける。これにより、誘導加熱調理器をキッチンに設置する際に、ケーブル３０１ｂの引っかかりを防止することができる。
【００３３】
尚、本体側コネクター２０１ｋは、筐体２００の内部に位置している回路基板２２になるべく近い位置に設置し、ケーブル３０１ｂは、筐体２００の内部を極力通さないで、本体側コネクター２０１ｋに接続すると良い。
これにより、ケーブル３０１ｂと加熱源である誘導加熱コイルの間に金属により形成された筐体が介在するので、ケーブル３０１ｂが、誘導加熱コイルから生じる磁場により影響を受け難く構成することができる。
【００３４】
以上のように、筐体２００において、最大幅Ｗ１と最大奥行きＤにより形成される矩形状より、内側に窪む凹部２００ａを形成して、この凹部２００ａを通信アダプタ３００取り付け位置とすることにより、当該位置に通信アダプタ３００を取り付けた状態でも、通信アダプタ３００が筐体２００の外側へ突出する寸法を、ゼロ又は最小限度に抑制することができる。
従って、システムキッチン等の厨房家具の設置空間の中に、通信アダプタ２００を誘導加熱調理器に取り付けた状態で設置できる。
【００３５】
しかも、通信アダプタ３００は、金属により形成された筐体２００の外側空間に位置しているので、筐体２００に信号をさえぎられ難く、外部機器からの無線を受信（又は受信＆送信）することに支障がない。
更に、通信アダプタ３００の設置位置となる凹部２００ａは、吸気口８に隣接して形成されている。この吸気口８は、誘導加熱調理器の外部の空間から、空気を取り込む位置であり、運転中は誘導加熱調理器の外部から空気が流れ続けることから、吸気口８の周囲の部位は、温度が高温になりにくい。
従って、凹部２００ａが形成されている部位も温度が高温になりにくく、通信アダプタ３００を高温状態とならないようにすることができる。
【符号の説明】
【００３６】
１００  誘導加熱調理器、１０１  本体部、１０２  天面部、１０３  グリル部、１０４  ファン・基板ユニット、２００  本体筐体、２０１  ケース、２０１ａ  底面板、２０１ｂ  周面板、２０２  カバー（背面板）、２０２ａ  垂直面、２０２ｂ傾斜面、３００  通信アダプタ、８  吸気口。
【図１】
2015087079.tif 000003
【図２】
2015087079.tif 000004
【図３】
2015087079.tif 000005
【図４】
2015087079.tif 000006
【図５】
2015087079.tif 000007
【図６】
2015087079.tif 000008
【図７】
2015087079.tif 000009
【図８】
2015087079.tif 000010
【図９】
2015087079.tif 000011